(57)【要約】【課題】本考案は、簡略安価な構成で、且つ、プライバシーの点を十分に配慮した簡略な緊急連絡システムを提供する。【解決手段】本考案の緊急連絡システムは、緊急連絡を行うために所有者が会員登録をした登録センタ電話番号及び所有者の個人識別情報が付された緊急連絡カード１を使用し、登録センタ電話番号に基づく連絡元４０からの電話送信にて送られる被連絡者の個人識別情報を受信し、登録センタ２０の登録データベースから予め登録した当該個人識別情報に対応する被連絡者の緊急連絡先の電話番号を検索して、自動的に第１緊急連絡先６１等の緊急連絡先に電話通報を行うものである。【選択図】図４
0003102967.tif 000002
【実用新案登録請求の範囲】
【請求項１】
緊急連絡を行うために所有者が会員登録をした登録センタ電話番号及び所有者の個人識別情報が付されたことを特徴とする緊急連絡カード。
【請求項２】
所有者の個人識別情報がカード面に付されるとともに、緊急連絡を行うために所有者が会員登録をした登録センタ電話番号が付された緊急連絡用シールをカード面に貼着したことを特徴とする緊急連絡カード。
【請求項３】
緊急連絡以外の機能を備えるとともに、所有者の個人識別情報がカード面に付され、緊急連絡を行うために所有者が会員登録をした登録センタ電話番号が付された緊急連絡用シールをカード面に貼着したことを特徴とする緊急連絡カード。
【請求項４】
緊急連絡を行うために所有者が会員登録をした登録センタ電話番号が付されたことを特徴とする緊急連絡用シール。
【請求項５】
緊急連絡カード記載の登録センタ電話番号に基づく連絡元からの電話送信にて送られる被連絡者の個人識別情報を受信し、登録センタの登録データベースから予め登録した当該個人識別情報に対応する被連絡者の緊急連絡先の電話番号を検索して、自動的に緊急連絡先に電話通報を行うことを特徴とする緊急連絡システム。
【請求項６】
緊急連絡カード記載の登録センタ電話番号に基づく連絡元からの電話送信にて送られる被連絡者の個人識別情報を受信し、登録センタの登録データベースから予め登録した当該個人識別情報に対応する被連絡者の優先順位を付けた複数の緊急連絡先の電話番号を検索して、優先順位順に自動的に緊急連絡先に電話通報を行うことを特徴とする緊急連絡システム。
【請求項７】
登録センタ電話番号、被連絡者の個人識別情報が記載された緊急連絡カードに基づく連絡元から前記登録センタ電話番号による電話通報に応じて登録センタから連絡元に対して音声による送信案内を行いつつ被連絡者の個人識別情報の送信を促し、個人識別情報を受信して、登録センタの登録データベースから予め登録した当該個人識別情報に対応する被連絡者の優先順位を付けた複数の緊急連絡先の電話番号を検索し、複数の緊急連絡先にコレクトコール機能による音声案内を行いつつ優先順位順に電話通報を行うことを特徴とする緊急連絡システム。
【考案の詳細な説明】
【技術分野】
【０００１】
本考案は、緊急連絡カード、緊急連絡用シール、緊急連絡システムに関するものである。
【背景技術】
【０００２】
例えば、ある人が街中で急に発病のため倒れ、意識不明となったような事態においては、本人の身元の確認を一刻も早く行うことが必要となる。一方、意識不明となった本人のプライバシーの保護も十分考慮することが肝要である。
【０００３】
特許文献１には、オートダイアル機能を有するオートダイアルカードと、所有者に関する緊急連絡情報を記載した表示体とにより携帯カードを構成し、緊急時にオートダイアルカードを電話端末に挿入することにより、携帯カード所有者の家族等の連絡先に自動的に緊急連絡通報を行うようにした緊急用連絡装置が開示されている。
【０００４】
しかし、特許文献１の場合、オートダイアル機能を有するカードが必要であることから、簡略低価格に構成することは難しく、また、表示体には所有者の自宅等の電話番号等が表示されていることから所有者のプライバシー保護の点で十分でないと考えられる。
【０００５】
特許文献２には、所有者固有の電波を発受信する発受信機、所有者の既往歴を記録したフラッシュカードを一体化したカード状発受信機を所有者に常時携帯させ、緊急時にカード状発受信機からセンターに向けて前記所有者固有の電波を緊急発信することで、所有者の位置を特定可能とした緊急時連絡方法が開示されている。
【０００６】
しかし、特許文献２の場合、電波を発受信する発受信機と、フラッシュカードとを組み合わせてカード状発受信機を構成したものであり、簡略低価格に構成することは難しいという問題がある。
【特許文献１】登録実用新案第３０１１０８３公報
【特許文献２】特開２０００−０５７４６６号公報
【考案の開示】
【考案が解決しようとする課題】
【０００７】
解決しようする問題点は、簡略安価な構成で、且つ、プライバシーの点を十分に配慮した緊急連絡カード及び簡略な緊急連絡簡略システムが存在しない点である。
【課題を解決するための手段】
【０００８】
本考案の緊急連絡カードは、緊急連絡を行うために所有者が会員登録をした登録センタ電話番号及び所有者の個人識別情報が付されたことを最も主要な特徴とする。
【考案の効果】
【０００９】
本考案の緊急連絡カードによれば、簡略安価な構成で、且つ、プライバシーの点を十分に配慮しつつ緊急連絡カードの所有者の緊急時の緊急連絡を行うことができる。
また、本考案の緊急連絡カードは、緊急連絡専用カードとして、又は他の機能をも有する兼用カードとして機能させることができる。
【００１０】
本考案の緊急連絡シールによれば、銀行カード等他の機能を有するカード類に貼着することで、当該カード類を他の機能と緊急連絡用の機能とを兼備したカード類として使用することができる。
【００１１】
本考案の緊急連絡システムによれば、簡略安価な構成の専用の又は兼用の緊急連絡カードを用いて、且つ、緊急状態のカード所有者のプライバシーの点を十分に配慮しつつ緊急時の緊急連絡を行い当該カード所有者の迅速な救護を実現することができ、更に、緊急連絡先が不在の場合の対応も万全な緊急連絡システムを提供することができる。
【考案を実施するための最良の形態】
【００１２】
簡略安価な構成で、且つ、プライバシーの点を十分に配慮した簡略な緊急連絡システムを提供するという目的を、緊急連絡を行うために所有者が会員登録をした登録センタ電話番号及び所有者の個人識別情報が付された緊急連絡カードを使用し、登録センタ電話番号に基づく連絡元からの電話送信にて送られる被連絡者の個人識別情報を受信し、登録センタの登録データベースから予め登録した当該個人識別情報に対応する被連絡者の緊急連絡先の電話番号を検索して、自動的に緊急連絡先に電話通報を行うことで実現するものである。
【実施例】
【００１３】
以下に、本考案の実施例を詳細に説明する。
図１は、本実施例に係る緊急連絡カード１を示すものであり、この緊急連絡カード１は、通常の銀行カード、クレジットカード等と同程度の大きさに形成した紙製又は合成樹脂製姓のカード本体２のカード面に、緊急連絡を行うための登録センタ電話番号欄３（０３−ＸＸＸＸ−ＸＸＸＸ）及び所有者の個人識別情報である緊急番号欄４（１２３４−５６７８）を印刷等で付すことにより構成されて、当該所有者の専用の緊急連絡カード１としている。
更に、カード本体２のカード面には、この緊急連絡カード１による電話連絡方法の案内文を付している。更に、カード本体２のカード面には、業務連絡用のコードナンバ（ＣＯＤＥＮｏ．３３５８−２６８４）１４を付している。
【００１４】
図２は、本実施例に係る変形例の緊急連絡カード１Ａを示すものであり、この緊急連絡カード１Ａは、例えば銀行のＡＴＭにおいて現金の預出金機能を有する磁気ストライプ６を備えた銀行カードをカード本体２Ａとし、このカード本体２Ａのカード面に、緊急連絡を行うための登録センタ電話番号欄１１（０３−ＸＸＸＸ−ＸＸＸＸ）及び電話連絡方法の案内文を印刷等により付した図３に拡大して示すシール１２を貼着して構成したものである。
カード本体２Ａのカード面には、所有者の個人識別情報である緊急番号欄１３（１２３４−５６７８−９１２３）、業務連絡用のコードナンバ（ＣＯＤＥＮｏ．３３５８−２６８４）１４を付して、多機能カードとして機能させるものである。
カード本体２Ａとしては、銀行カードの他、クレジットカード、定期券等緊急連絡用以外の目的機能を有するカード類を使用することができる。
【００１５】
前記シール１２によれば、銀行カード、クレジットカード等他の機能を有するカード類の空きスペースに貼着することで、当該カード類を他の機能と緊急連絡用の機能とを兼備したカード類として機能させることができるという顕著な利点がある。
【００１６】
次に、本実施例に係る緊急連絡システムの全体構成について図４、図５を参照して説明する。
本実施例に係る緊急連絡システムは、例えば、前記緊急連絡カード１（又は前記緊急連絡カード１Ａ）の所有者に急病等の異常事態が生じた場合に、前記緊急連絡カード１（又は前記緊急連絡カード１Ａ）記載の登録センタ電話番号に基づく連絡元７０である第３者（救護者）からの電話送信にて送られる被連絡者（前記緊急連絡カード１の所有者）の個人識別情報を登録センタ２０にて受信し、登録センタ２０の登録データベース２３から予め登録した当該個人識別情報に対応する被連絡者の緊急連絡先４０の電話番号を検索して、自動的に緊急連絡先４０に電話通報を行うようにしたものである。
【００１７】
本実施例に係る緊急連絡システムについて以下に詳述する。
本実施例に係る緊急連絡システムにおいて、連絡元７０である第３者が使用する電話としては、図４に示すように、ビジネスホン５１、携帯電話５２、一般電話５３、公衆電話５４等、いかなる電話でもよく、特に限定されるものではない。
【００１８】
緊急連絡先４０としては、例えば第１乃至第３緊急連絡先６１、６２、６３からなる３種の連絡先が設定される。第１緊急連絡先６１としては、前記緊急連絡カード１の所有者の自宅の電話、第２緊急連絡先６２としては、前記緊急連絡カード１の所有者の家族等の勤務先の電話、第３緊急連絡先６３としては、前記緊急連絡カード１の所有者の家族等の携帯電話が選定される。
【００１９】
前記登録センタ２０は、連絡元７０と緊急連絡先４０との電話接続処理を行う交換機２１と、交換機２１に接続したセンタコンピュータ２２とを具備している。前記交換機２１は、前記連絡元７０、緊急連絡先４０と交信する自動発呼機能、コレクトコール機能を備えた送受信ユニット２４と、前記登録データベース２３と、前記連絡元７０、緊急連絡先４０に対して各々送信する音声メッセージを記録した音声録音部２５と、送受信ユニット２４、登録データベース２３、音声録音部２５の動作制御を行う制御部２６とを具備している。
センタコンピュータ２２は、本体２７、キーボード２８、マウス２９、表示部３０等を有している。
前記登録データベース２３には、第１乃至第３緊急連絡先６１、６２、６３の各電話番号が前記緊急連絡カード１の所有者の個人識別情報に関連付けられ、且つ、優先順位を付けられて予め登録されている。このような登録データベース２３における登録は、予め会員登録をしたすべての会員の緊急連絡カード１（緊急連絡カード１Ａに関しても同様）に関して行われている。
【００２０】
次に、本実施例に係る緊急連絡システムにおいて前記緊急連絡カード１の所有者に緊急事態が生じた場合の緊急連絡処理について説明する。
例えば、前記緊急連絡カード１の所有者に急病等の異常事態が生じた場合、この緊急連絡カード１を見た連絡元７０である第３者は、例えば、携帯電話５２から緊急連絡カード１記載の登録センタ電話番号をプッシュし、更に個人識別情報である緊急番号１２３４−５６７８を送信する。
前記交換機２１の送受信ユニット２４は、連絡元７０からの電話通報に応じて動作し、緊急番号１２３４−５６７８を受信する。制御部２６は、受信した緊急番号１２３４−５６７８のデータを基に登録データベース２３から予め登録した当該緊急番号１２３４−５６７８に対応する被連絡者（前記緊急連絡カード１の所有者）の緊急連絡先４０の優先順位が付けられた第１乃至第３緊急連絡先６１、６２、６３の電話番号を検索して、送受信ユニット２４によって第１緊急連絡先６１である前記所有者の自宅の電話、第２緊急連絡先６２である前記所有者の家族等の勤務先の電話、第３緊急連絡先６３である前記所有者の家族等の携帯電話に順に自動的に電話通報を行う。
【００２１】
これにより、簡略安価な構成からなる前記緊急連絡カード１を用いて、当該所有者に急病等の異常事態が生じた場合の緊急連絡を第１乃至第３緊急連絡先６１、６２、６３に対して順に、且つ、速やかに行い、連絡元７０と第１乃至第３緊急連絡先６１、６２、６３とを電話接続して、連絡元７０から家族等に前記緊急連絡カード１の所有者の状況を電話にて連絡してもらうことができる。また、緊急連絡カード１には、登録センタの電話番号、緊急連絡番号のみが付されているので、所有者のプライバシー保護も十分に図れる。
【００２２】
また、第１乃至第３緊急連絡先６１、６２、６３に対して順に電話通報を行う場合に、不在の場合が生じるが、この場合には、自動転送機能により自動的に次順位の連絡先に転送する。
【００２３】
以上が本実施例に係る緊急連絡システムの基本的な処理の流れであるが、次に、前記前記緊急連絡カード１Ａを使用する場合の処理の流れについて説明する。
【００２４】
例えば、前記緊急連絡カード１Ａの所有者に急病等の異常事態が生じた場合に、この緊急連絡カード１Ａを見た連絡元７０である第３者は、例えば、携帯電話から緊急連絡カード１Ａ記載の登録センタ電話番号をプッシュし登録センタ２０に通報する。
【００２５】
登録センタ２０においては、連絡元７０からの通報に応じて、音声録音部２５に記録した音声案内メッセージを読み出し、連絡元７０の携帯電話５２に音声にて「こちらは登録センタです。カードに付された緊急番号を送信して下さい。」という音声案内メッセージが送信される。
連絡元７０が音声案内にしたがって、緊急連絡カード１Ａ記載の緊急番号１２３４−５６７８−９１２３を携帯電話５２からプッシュすると、この緊急番号のデータは登録センタ２０に送信される。更に、連絡元７０の携帯電話５２には音声にて緊急番号の確認メッセージ、連絡先への連絡を取っているとの案内メッセージがが送信される。
【００２６】
登録センタ２０は、連絡元７０への音声案内と並行して、送信された緊急番号１２３４−５６７８−９１２３のデータを基に、登録データベース２３から予め登録した当該緊急番号１２３４−５６７８−９１２３に対応する被連絡者（前記緊急連絡カード１Ａの所有者）の緊急連絡先４０の優先順位が付けられた第１乃至第３緊急連絡先６１、６２、６３の電話番号を検索して、送受信ユニット２４によって第１緊急連絡先６１である前記所有者の自宅の電話、第２緊急連絡先６２である前記所有者の家族等の勤務先の電話、第３緊急連絡先６３である前記所有者の家族等の携帯電話に順に自動的に電話通報を行う。
【００２７】
この場合に、登録センタ２０においては、音声録音部２５に記録した音声案内メッセージを読み出し、例えば第１緊急連絡先６１の電話に、「緊急連絡のコレクトコールが入っています。お受けする場合には、「はい」、受けられない場合には、「いいえ」とお答え下さい。」との案内メッセージが送信され、相手が「はい」と答えた場合には、更に「ただ今緊急連絡が入りました。受理番号を押して下さい。＃（受理信号）を押すと連絡元とつながります。」との案内メッセージが送信される。
この結果、例えば第１緊急連絡先６１の電話を受けた家族等は、＃を押すことで連絡元７０の携帯電話５２との間で会話を行い、緊急事態の状況を話してもらうことができる。上述した場合に、「いいえ」と答えた場合、又は、相手が不在の場合には、次順位の連絡先に自動転送される。
また、例えば第１緊急連絡先６１の電話が留守番電話設定されているような場合も、受理信号が得られないため、次順位の連絡先に自動転送される。第２緊急連絡先６２においても同様であり、更にどうしても連絡先と接続できない場合にのみ、登録センタ２０にて一旦連絡元７０からの通報を代行処理し、第１乃至第３緊急連絡先６１、６２、６３に連絡がとれるまで電話連絡を継続する。
【００２８】
このようにして、簡略安価な構成からなる緊急連絡カード１Ａを用いて、当該所有者に急病等の異常事態が生じた場合の連絡元７０からの緊急連絡を音声案内を併用しつつ第１乃至第３緊急連絡先６１、６２、６３に対して順に、且つ、速やかに行い、連絡元７０と第１乃至第３緊急連絡先６１、６２、６３とを電話接続して、連絡元７０から家族等に前記緊急連絡カード１の所有者の状況を電話にて連絡してもらうことができる。
また、第１乃至第３緊急連絡先６１、６２、６３に対して順に電話通報を行う場合に、不在等の状態が生じた場合にも音声案内を併用しつつ次順位の連絡先に連絡することができる。更に、どうしても連絡先と接続できない場合の処理も万全となる。
【００２９】
なお、前記業務連絡用のコードナンバ１４は、業務関連連絡先に連絡する場合に使用される。
【産業上の利用可能性】
【００３０】
本考案は、上述した場合の他、所有者の社員証や各種販売店が発行するポイントカード等多種のカード類についても適用可能である。
【図面の簡単な説明】
【００３１】
【図１】本考案の実施例に係る緊急連絡カードを示す平面図である。
【図２】本考案の実施例に係る変形例の緊急連絡カードを示す平面図である。
【図３】本考案の実施例に係る緊急連絡カードを示す平面図である。
【図４】本考案の実施例に係る緊急連絡システムの構成を示す概略図である。
【図５】本考案の実施例に係る緊急連絡システムの登録センタの構成を示すブロック図である。
【符号の説明】
【００３２】
１    緊急連絡カード
１Ａ  緊急連絡カード
２    カード本体
２Ａ  カード本体
３    登録センタ電話番号欄
４    緊急番号欄
６    磁気ストライプ
１１    登録センタ電話番号欄
１２    シール
１３    緊急番号欄
１４    コードナンバ
２０    登録センタ
２１    交換機
２２    センタコンピュータ
２３    登録データベース
２４    送受信ユニット
２５    音声録音部
２６    制御部
２７    本体
２８    キーボード
２９    マウス
３０    表示部
４０    緊急連絡先
５１    ビジネスホン
５２    携帯電話
５３    一般電話
５４    公衆電話
６１    第１緊急連絡先
６２    第２緊急連絡先
６３    第３緊急連絡先
７０    連絡元
【図１】
0003102967.tif 000003
【図２】
0003102967.tif 000004
【図３】
0003102967.tif 000005
【図４】
0003102967.tif 000006
【図５】
0003102967.tif 000007
【手続補正書】
【提出日】平成16年3月18日(2004.3.18)
【手続補正１】
【補正対象書類名】実用新案登録請求の範囲
【補正対象項目名】全文
【補正方法】変更
【補正の内容】
【実用新案登録請求の範囲】
【請求項１】
緊急連絡を行うためにカード所有者が会員登録をした登録センタ電話番号及びカード所有者の個人識別情報が付され、カード所有者の緊急時の緊急連絡を行うことができる手段を具備したことを特徴とする緊急連絡カード。
【請求項２】
カード所有者の個人識別情報がカード面に付されるとともに、緊急連絡を行うためにカード所有者が会員登録をした登録センタ電話番号が付された緊急連絡用シールをカード面に貼着し、カード所有者の緊急時の緊急連絡を行うことができる手段を具備したことを特徴とする緊急連絡カード。
【請求項３】
緊急連絡以外の機能を備えるとともに、カード所有者の個人識別情報がカード面に付され、緊急連絡を行うためにカード所有者が会員登録をした登録センタ電話番号が付された緊急連絡用シールをカード面に貼着し、カード所有者の緊急時の緊急連絡を行うことができる手段を具備したことを特徴とする緊急連絡カード。
【請求項４】
緊急連絡を行うためにカード所有者が会員登録をした登録センタ電話番号が付されるとともに、銀行カード等の機能を有するカード類に貼着され、カード所有者の緊急時の緊急連絡を行うことができる手段を具備したことを特徴とする緊急連絡用シール。
【請求項５】
緊急連絡カード記載の登録センタ電話番号に基づく連絡元からの電話送信にて送られる被連絡者の個人識別情報を受信する手段と、 前記受信の後、前記登録センタの登録データベースから予め登録した当該個人識別情報に対応する被連絡者の緊急連絡先の電話番号を検索する手段と、 前記検索の後、自動的に緊急連絡先に電話通報を行う手段と、 を備えてなる緊急連絡装置を具備したことを特徴とする緊急連絡システム。
【請求項６】
緊急連絡カード記載の登録センタ電話番号に基づく連絡元からの電話送信にて送られる被連絡者の個人識別情報を受信する手段と、 前記受信の後、登録センタの登録データベースから予め登録した当該個人識別情報に対応する被連絡者の優先順位を付けた複数の緊急連絡先の電話番号を検索する手段と、 前記検索の後、優先順位順に自動的に緊急連絡先に電話通報を行う手段と、 を備えてなる緊急連絡装置を具備したことを特徴とする緊急連絡システム。
【請求項７】
登録センタ電話番号、被連絡者の個人識別情報が記載された緊急連絡カードに基づく連絡元から前記登録センタ電話番号による電話通報に応じて登録センタから連絡元に対して音声による送信案内を行いつつ被連絡者の個人識別情報の送信を促し、個人識別情報を受信する手段と、 前記受信の後、登録センタの登録データベースから予め登録した当該個人識別情報に対応する被連絡者の優先順位を付けた複数の緊急連絡先の電話番号を検索する手段と、 前記検索の後、複数の緊急連絡先にコレクトコール機能による音声案内を行いつつ優先順位順に電話通報を行う手段と、 を備えてなる緊急連絡装置を具備したことを特徴とする緊急連絡システム。
【手続補正２】
【補正対象書類名】明細書
【補正対象項目名】全文
【補正方法】変更
【補正の内容】
【考案の詳細な説明】
【技術分野】
【０００１】  本考案は、緊急連絡カード、緊急連絡用シール、緊急連絡システムに関するものである。
【背景技術】
【０００２】  例えば、ある人が街中で急に発病のため倒れ、意識不明となったような事態においては、本人の身元の確認を一刻も早く行うことが必要となる。一方、意識不明となった本人のプライバシーの保護も十分考慮することが肝要である。【０００３】  特許文献１には、オートダイアル機能を有するオートダイアルカードと、所有者に関する緊急連絡情報を記載した表示体とにより携帯カードを構成し、緊急時にオートダイアルカードを電話端末に挿入することにより、携帯カード所有者の家族等の連絡先に自動的に緊急連絡通報を行うようにした緊急用連絡装置が開示されている。【０００４】  しかし、特許文献１の場合、オートダイアル機能を有するカードが必要であることから、簡略低価格に構成することは難しく、また、表示体には所有者の自宅等の電話番号等が表示されていることから所有者のプライバシー保護の点で十分でないと考えられる。【０００５】  特許文献２には、所有者固有の電波を発受信する発受信機、所有者の既往歴を記録したフラッシュカードを一体化したカード状発受信機を所有者に常時携帯させ、緊急時にカード状発受信機からセンターに向けて前記所有者固有の電波を緊急発信することで、所有者の位置を特定可能とした緊急時連絡方法が開示されている。【０００６】  しかし、特許文献２の場合、電波を発受信する発受信機と、フラッシュカードとを組み合わせてカード状発受信機を構成したものであり、簡略低価格に構成することは難しいという問題がある。【特許文献１】登録実用新案第３０１１０８３公報
【特許文献２】特開２０００−０５７４６６号公報
【考案の開示】
【考案が解決しようとする課題】
【０００７】  解決しようする問題点は、簡略安価な構成で、且つ、プライバシーの点を十分に配慮した緊急連絡カード及び簡略な緊急連絡簡略システムが存在しない点である。
【課題を解決するための手段】
【０００８】  本考案の緊急連絡カードは、緊急連絡を行うために所有者が会員登録をした登録センタ電話番号及び所有者の個人識別情報が付されたことを最も主要な特徴とする。
【考案の効果】
【０００９】  本考案の緊急連絡カードによれば、簡略安価な構成で、且つ、プライバシーの点を十分に配慮しつつ緊急連絡カードの所有者の緊急時の緊急連絡を行うことができる。  また、本考案の緊急連絡カードは、緊急連絡専用カードとして、又は他の機能をも有する兼用カードとして機能させることができる。【００１０】  本考案の緊急連絡シールによれば、銀行カード等他の機能を有するカード類に貼着することで、当該カード類を他の機能と緊急連絡用の機能とを兼備したカード類として使用することができる。【００１１】  本考案の緊急連絡システムによれば、簡略安価な構成の専用の又は兼用の緊急連絡カードを用いて、且つ、緊急状態のカード所有者のプライバシーの点を十分に配慮しつつ緊急時の緊急連絡を行い当該カード所有者の迅速な救護を実現することができ、更に、緊急連絡先が不在の場合の対応も万全な緊急連絡システムを提供することができる。
【考案を実施するための最良の形態】
【００１２】  簡略安価な構成で、且つ、プライバシーの点を十分に配慮した簡略な緊急連絡システムを提供するという目的を、緊急連絡を行うためにカード所有者が会員登録をした登録センタ電話番号及びカード所有者の個人識別情報が付された緊急連絡カードを使用し、登録センタ電話番号に基づく連絡元からの電話送信にて送られる被連絡者の個人識別情報を受信し、登録センタの登録データベースから予め登録した当該個人識別情報に対応する被連絡者の緊急連絡先の電話番号を検索して、自動的に緊急連絡先に電話通報を行うことで実現するものである。
【実施例】
【００１３】  以下に、本考案の実施例を詳細に説明する。  図１は、本実施例に係る緊急連絡カード１を示すものであり、この緊急連絡カード１は、通常の銀行カード、クレジットカード等と同程度の大きさに形成した紙製又は合成樹脂製姓のカード本体２のカード面に、緊急連絡を行うための登録センタ電話番号欄３（０３−ＸＸＸＸ−ＸＸＸＸ）及びカード所有者の個人識別情報である緊急番号欄４（１２３４−５６７８）を印刷等で付すことにより構成されて、当該カード所有者の専用の緊急連絡カード１としている。  更に、カード本体２のカード面には、この緊急連絡カード１による電話連絡方法の案内文を付している。更に、カード本体２のカード面には、業務連絡用のコードナンバ（ＣＯＤＥＮｏ．３３５８−２６８４）１４を付している。【００１４】  図２は、本実施例に係る変形例の緊急連絡カード１Ａを示すものであり、この緊急連絡カード１Ａは、例えば銀行のＡＴＭにおいて現金の預出金機能を有する磁気ストライプ６を備えた銀行カードをカード本体２Ａとし、このカード本体２Ａのカード面に、緊急連絡を行うための登録センタ電話番号欄１１（０３−ＸＸＸＸ−ＸＸＸＸ）及び電話連絡方法の案内文を印刷等により付した図３に拡大して示すシール１２を貼着して構成したものである。  カード本体２Ａのカード面には、カード所有者の個人識別情報である緊急番号欄１３（１２３４−５６７８−９１２３）、業務連絡用のコードナンバ（ＣＯＤＥＮｏ．３３５８−２６８４）１４を付して、多機能カードとして機能させるものである。  カード本体２Ａとしては、銀行カードの他、クレジットカード、定期券等緊急連絡用以外の目的機能を有するカード類を使用することができる。【００１５】  前記シール１２によれば、銀行カード、クレジットカード等他の機能を有するカード類の空きスペースに貼着することで、当該カード類を他の機能と緊急連絡用の機能とを兼備したカード類として機能させることができるという顕著な利点がある。【００１６】  次に、本実施例に係る緊急連絡システムの全体構成について図４、図５を参照して説明する。  本実施例に係る緊急連絡システムは、例えば、前記緊急連絡カード１（又は前記緊急連絡カード１Ａ）の所有者に急病等の異常事態が生じた場合に、前記緊急連絡カード１（又は前記緊急連絡カード１Ａ）記載の登録センタ電話番号に基づく連絡元７０である第３者（救護者）からの電話送信にて送られる被連絡者（前記緊急連絡カード１の所有者）の個人識別情報を登録センタ２０にて受信し、登録センタ２０の登録データベース２３から予め登録した当該個人識別情報に対応する被連絡者の緊急連絡先４０の電話番号を検索して、自動的に緊急連絡先４０に電話通報を行うようにしたものである。【００１７】  本実施例に係る緊急連絡システムについて以下に詳述する。  本実施例に係る緊急連絡システムにおいて、連絡元７０である第３者が使用する電話としては、図４に示すように、ビジネスホン５１、携帯電話５２、一般電話５３、公衆電話５４等、いかなる電話でもよく、特に限定されるものではない。【００１８】  緊急連絡先４０としては、例えば第１乃至第３緊急連絡先６１、６２、６３からなる３種の連絡先が設定される。第１緊急連絡先６１としては、前記緊急連絡カード１の所有者の自宅の電話、第２緊急連絡先６２としては、前記緊急連絡カード１の所有者の家族等の勤務先の電話、第３緊急連絡先６３としては、前記緊急連絡カード１の所有者の家族等の携帯電話が選定される。【００１９】  前記登録センタ２０は、連絡元７０と緊急連絡先４０との電話接続処理を行う交換機２１と、交換機２１に接続したセンタコンピュータ２２とを具備している。前記交換機２１は、前記連絡元７０、緊急連絡先４０と交信する自動発呼機能、コレクトコール機能を備えた送受信ユニット２４と、前記登録データベース２３と、前記連絡元７０、緊急連絡先４０に対して各々送信する音声メッセージを記録した音声録音部２５と、送受信ユニット２４、登録データベース２３、音声録音部２５の動作制御を行う制御部２６とを具備している。  センタコンピュータ２２は、本体２７、キーボード２８、マウス２９、表示部３０等を有している。  前記登録データベース２３には、第１乃至第３緊急連絡先６１、６２、６３の各電話番号が前記緊急連絡カード１の所有者の個人識別情報に関連付けられ、且つ、優先順位を付けられて予め登録されている。このような登録データベース２３における登録は、予め会員登録をしたすべての会員の緊急連絡カード１（緊急連絡カード１Ａに関しても同様）に関して行われている。【００２０】  次に、本実施例に係る緊急連絡システムにおいて前記緊急連絡カード１の所有者に緊急事態が生じた場合の緊急連絡処理について説明する。  例えば、前記緊急連絡カード１の所有者に急病等の異常事態が生じた場合、この緊急連絡カード１を見た連絡元７０である第３者は、例えば、携帯電話５２から緊急連絡カード１記載の登録センタ電話番号をプッシュし、更に個人識別情報である緊急番号１２３４−５６７８を送信する。  前記交換機２１の送受信ユニット２４は、連絡元７０からの電話通報に応じて動作し、緊急番号１２３４−５６７８を受信する。制御部２６は、受信した緊急番号１２３４−５６７８のデータを基に登録データベース２３から予め登録した当該緊急番号１２３４−５６７８に対応する被連絡者（前記緊急連絡カード１の所有者）の緊急連絡先４０の優先順位が付けられた第１乃至第３緊急連絡先６１、６２、６３の電話番号を検索して、送受信ユニット２４によって第１緊急連絡先６１である前記カード所有者の自宅の電話、第２緊急連絡先６２である前記カード所有者の家族等の勤務先の電話、第３緊急連絡先６３である前記カード所有者の家族等の携帯電話に順に自動的に電話通報を行う。【００２１】  これにより、簡略安価な構成からなる前記緊急連絡カード１を用いて、当該カード所有者に急病等の異常事態が生じた場合の緊急連絡を第１乃至第３緊急連絡先６１、６２、６３に対して順に、且つ、速やかに行い、連絡元７０と第１乃至第３緊急連絡先６１、６２、６３とを電話接続して、連絡元７０から家族等に前記緊急連絡カード１の所有者の状況を電話にて連絡してもらうことができる。また、緊急連絡カード１には、登録センタの電話番号、緊急連絡番号のみが付されているので、カード所有者のプライバシー保護も十分に図れる。【００２２】  また、第１乃至第３緊急連絡��６１、６２、６３に対して順に電話通報を行う場合に、不在の場合が生じるが、この場合には、自動転送機能により自動的に次順位の連絡先に転送する。【００２３】  以上が本実施例に係る緊急連絡システムの基本的な処理の流れであるが、次に、前記前記緊急連絡カード１Ａを使用する場合の処理の流れについて説明する。  【００２４】  例えば、前記緊急連絡カード１Ａの所有者に急病等の異常事態が生じた場合に、この緊急連絡カード１Ａを見た連絡元７０である第３者は、例えば、携帯電話から緊急連絡カード１Ａ記載の登録センタ電話番号をプッシュし登録センタ２０に通報する。【００２５】  登録センタ２０においては、連絡元７０からの通報に応じて、音声録音部２５に記録した音声案内メッセージを読み出し、連絡元７０の携帯電話５２に音声にて「こちらは登録センタです。カードに付された緊急番号を送信して下さい。」という音声案内メッセージが送信される。  連絡元７０が音声案内にしたがって、緊急連絡カード１Ａ記載の緊急番号１２３４−５６７８−９１２３を携帯電話５２からプッシュすると、この緊急番号のデータは登録センタ２０に送信される。更に、連絡元７０の携帯電話５２には音声にて緊急番号の確認メッセージ、連絡先への連絡を取っているとの案内メッセージがが送信される。【００２６】  登録センタ２０は、連絡元７０への音声案内と並行して、送信された緊急番号１２３４−５６７８−９１２３のデータを基に、登録データベース２３から予め登録した当該緊急番号１２３４−５６７８−９１２３に対応する被連絡者（前記緊急連絡カード１Ａの所有者）の緊急連絡先４０の優先順位が付けられた第１乃至第３緊急連絡先６１、６２、６３の電話番号を検索して、送受信ユニット２４によって第１緊急連絡先６１である前記カード所有者の自宅の電話、第２緊急連絡先６２である前記カード所有者の家族等の勤務先の電話、第３緊急連絡先６３である前記カード所有者の家族等の携帯電話に順に自動的に電話通報を行う。【００２７】  この場合に、登録センタ２０においては、音声録音部２５に記録した音声案内メッセージを読み出し、例えば第１緊急連絡先６１の電話に、「緊急連絡のコレクトコールが入っています。お受けする場合には、「はい」、受けられない場合には、「いいえ」とお答え下さい。」との案内メッセージが送信され、相手が「はい」と答えた場合には、更に「ただ今緊急連絡が入りました。受理番号を押して下さい。＃（受理信号）を押すと連絡元とつながります。」との案内メッセージが送信される。  この結果、例えば第１緊急連絡先６１の電話を受けた家族等は、＃を押すことで連絡元７０の携帯電話５２との間で会話を行い、緊急事態の状況を話してもらうことができる。上述した場合に、「いいえ」と答えた場合、又は、相手が不在の場合には、次順位の連絡先に自動転送される。  また、例えば第１緊急連絡先６１の電話が留守番電話設定されているような場合も、受理信号が得られないため、次順位の連絡先に自動転送される。第２緊急連絡先６２においても同様であり、更にどうしても連絡先と接続できない場合にのみ、登録センタ２０にて一旦連絡元７０からの通報を代行処理し、第１乃至第３緊急連絡先６１、６２、６３に��絡がとれるまで電話連絡を継続する。【００２８】  このようにして、簡略安価な構成からなる緊急連絡カード１Ａを用いて、当該カード所有者に急病等の異常事態が生じた場合の連絡元７０からの緊急連絡を音声案内を併用しつつ第１乃至第３緊急連絡先６１、６２、６３に対して順に、且つ、速やかに行い、連絡元７０と第１乃至第３緊急連絡先６１、６２、６３とを電話接続して、連絡元７０から家族等に前記緊急連絡カード１の所有者の状況を電話にて連絡してもらうことができる。  また、第１乃至第３緊急連絡先６１、６２、６３に対して順に電話通報を行う場合に、不在等の状態が生じた場合にも音声案内を併用しつつ次順位の連絡先に連絡することができる。更に、どうしても連絡先と接続できない場合の処理も万全となる。【００２９】  なお、前記業務連絡用のコードナンバ１４は、業務関連連絡先に連絡する場合に使用される。
【産業上の利用可能性】
【００３０】  本考案は、上述した場合の他、カード所有者の社員証や各種販売店が発行するポイントカード等多種のカード類についても適用可能である。
【図面の簡単な説明】
【００３１】
【図１】本考案の実施例に係る緊急連絡カードを示す平面図である。
【図２】本考案の実施例に係る変形例の緊急連絡カードを示す平面図である。
【図３】本考案の実施例に係る緊急連絡カードを示す平面図である。
【図４】本考案の実施例に係る緊急連絡システムの構成を示す概略図である。
【図５】本考案の実施例に係る緊急連絡システムの登録センタの構成を示すブロック図である。
【符号の説明】
【００３２】    １    緊急連絡カード    １Ａ  緊急連絡カード    ２    カード本体    ２Ａ  カード本体    ３    登録センタ電話番号欄    ４    緊急番号欄    ６    磁気ストライプ  １１    登録センタ電話番号欄  １２    シール  １３    緊急番号欄  １４    コードナンバ  ２０    登録センタ  ２１    交換機  ２２    センタコンピュータ  ２３    登録データベース  ２４    送受信ユニット  ２５    音声録音部  ２６    制御部  ２７    本体  ２８    キーボード  ２９    マウス  ３０    表示部  ４０    緊急連絡先  ５１    ビジネスホン  ５２    携帯電話  ５３    一般電話  ５４    公衆電話  ６１    第１緊急連絡先  ６２    第２緊急連絡先  ６３    第３緊急連絡先  ７０    連絡元